(57)【特許請求の範囲】
【請求項１】
前方に作業用開口部を有する作業室と、前記作業室の底壁からなる作業台の前縁に沿って設けられる前縁吸引口と、前記前縁吸引口より後方において前記作業台を貫通する曝露防止用吸引口とを備え、前記作業用開口部から前記作業室へ流入する外部の空気と、前記作業室内の空気とを前記前縁吸引口から作業台の下部空間へ吸引することにより設けた気流により前記作業用開口部をシールドするとともに、前記曝露防止用吸引口から前記作業室内の空気を前記下部空間へ吸引するよう構成された曝露防止用キャビネットの前記作業室に設置して、薬剤や有機溶剤の調製を行う際に使用可能な陰圧作業台であって、
中空板状をなし、前記作業台に伏せ置きされる基台と、
前記基台の後部に設けられる吸込み部と、
を備え、
前記基台は、前縁に沿って設けられる基台前縁吸引孔と、前記基台前縁吸引孔と前記吸込み部の前後方向の間における当該基台の上面からなる作業面とを有し、当該陰圧作業台を前記作業室に設置した際に、前縁が前記前縁吸引口より後方に位置するよう設けられており、
前記吸込み部は、中空箱状をなし、前記曝露防止用吸引口に収容される吸込み室と、前記吸込み室の内部空間を作業台の上方へ連通する吸込み口と、当該内部空間を作業台の下部空間に連通する排出口とを有することを特徴とする陰圧作業台。
【請求項２】
前記基台前縁吸引孔は、前記吸込み室の内部空間に連通している請求項１に記載の陰圧作業台。
【請求項３】
前記基台は、下方に開口している請求項１、又は請求項２に記載の陰圧作業台。
【請求項４】
請求項１に記載の曝露防止用キャビネット、及び陰圧作業台を備えた陰圧作業台付キャ
ビネット。
【請求項５】
前記吸込み室を収容する吸込み部収容室を備え、
前記吸込み部収容室は、前方に開口する前方開口部と後方に開口する後方開口部とを有する請求項４に記載の陰圧作業台付キャビネット。
【発明の詳細な説明】
【技術分野】
【０００１】
この発明は、抗癌剤の調製に用いる安全キャビネットや毒性の高い有機溶剤の取り扱いに用いる局所排気装置等の作業室内に付設して、抗癌剤や有機溶剤等による曝露事故を抑制する陰圧作業台、及びこれを備えた陰圧作業台付キャビネットに関する。
【背景技術】
【０００２】
近年、開放型の安全キャビネットや局所排気装置等の曝露防止用キャビネットでは、作業用開口部を気流でシールドするだけでは、抗癌剤や有機溶剤等を調製する際の曝露事故を十分に防止できない可能性が指摘されている。
【０００３】
そこで、本発明者は、先に特許文献１において、かかる作業を行う際に安全キャビネットや局所排気装置の作業室に付設する曝露防止箱を提案している。特許文献１の曝露防止箱は、箱の内部に設置したバイアルに対し、箱の天壁に設けた貫通孔（充填具挿入口）からシリンジを刺し込んで、箱の内部でシリンジの針をバイアルの蓋に刺し込むようにしたもので、この際漏れ出た薬剤は、箱の下部に設けた排気口から作業室の下部空間へ吸引するようにしている。
【０００４】
ところが、特許文献１に係る曝露防止箱は、気密性に優れるものの、バイアル等を出し入れするための扉の開閉が煩わししいという課題があった。
【０００５】
そこで、本発明者は、特許文献２や特許文献３において、抗癌剤等を遮蔽する仕切り板を備えた曝露防止具を提案している。これらの曝露防止具は、安全キャビネットの作業台の中ほどに立設される透明な遮蔽板の両側から手を回して、遮蔽板の後ろで抗癌剤等の調製作業を行うことで、扉の開閉等を不要としたものである。
【先行技術文献】
【特許文献】
【０００６】
【特許文献１】特許第６２５１８３９号公報
【特許文献２】特許第６６１４１８２号公報
【特許文献３】特開２０１９−１６２５８０号公開公報
【発明の概要】
【発明が解決しようとする課題】
【０００７】
しかし、特許文献２や特許文献３の曝露防止具では、遮蔽板の両側から向こうへ手を回して作業を行うので、無理な姿勢を強いられたり、手を動かす範囲が限られたりするため、作業者の負担が大きいという課題がある。
本発明は、上記課題に鑑みてなされたものであり、作業者の負担を増大させることなく、既存の曝露防止用キャビネットの曝露防止性を高めることが可能な陰圧作業台の提供を目的とする。
【課題を解決するための手段】
【０００８】
上記の課題を解決するためになされた発明は、前方に作業用開口部を有する作業室と、前記作業室の底壁からなる作業台の前縁に沿って設けられる前縁吸引口と、前記前縁吸引口より後方において前記作業台を貫通する曝露防止用吸引口とを備え、前記作業用開口部から前記作業室へ流入する外部の空気と、前記作業室内の空気とを前記前縁吸引口から作業台の下部空間へ吸引することにより設けた気流により前記作業用開口部をシールドするとともに、前記曝露防止用吸引口から前記作業室内の空気を前記下部空間へ吸引するよう構成された曝露防止用キャビネットの前記作業室に設置して、薬剤や有機溶剤の調製を行う際に使用可能な陰圧作業台であって、中空板状をなし、前記作業台に伏せ置きされる基台と、前記基台の後部に設けられる吸込み部と、を備え、前記基台は、前縁に沿って設けられる基台前縁吸引孔と、前記基台前縁吸引孔と前記吸込み部の前後方向の間における当該基台の上面からなる作業面とを有し、当該陰圧作業台を前記作業室に設置した際に、前縁が前記前縁吸引口より後方に位置するよう設けられており、前記吸込み部は、中空箱状をなし、前記曝露防止用吸引口に収容される吸込み室と、前記吸込み室の内部空間を作業台の上方へ連通する吸込み口と、当該内部空間を作業台の下部空間に連通する排出口とを有することを特徴とする。
【０００９】
本発明の陰圧作業台は、このように、基台の作業面前方に遮蔽板を設ける代わりに基台前縁吸引孔を設けることで、基台の左右方向だけでなく基台の前方も開放したので、作業者が作業面上で抗癌剤や有機溶剤等を取り扱う際に、無理な姿勢を強いられることがない。
【００１０】
前記基台前縁吸引孔は、前記吸込み室の内部空間に連通していることが好ましい。こうすることで、既存の曝露防止キャビネットの作業台に曝露防止用吸引口を１つ開けるだけで、基台前縁吸引孔から吸引された空気と吸込み口から吸引された空気の両方を曝露防止用吸引口から吸引できるので、作業台に開ける吸引口が１つで済み、陰圧作業台の付設コストを抑制できる。
【００１１】
前記基台は、下方に開口していることが好ましい。こうすることで、基台前縁吸引孔から基台内部へ零れ落ちた抗癌剤や有機溶剤等を、曝露防止キャビネットの作業台上へ落とすことができるため、当該陰圧作業台とともに誤って作業室の外へ抗癌剤等を持ち出してしまうことを抑制できる。また、基台の下に保護シートを敷くことで、基台内部へ零れ落ちた抗癌剤等を当該保護シートで吸収することができる。
【００１２】
本発明は、上述した曝露防止用キャビネットと、陰圧作業台とを備えた陰圧作業台付キャビネットを含む。
【００１３】
本発明の陰圧作業台は、前記吸込み室を収容する吸込み部収容室を備え、前記吸込み部収容室は、前方に開口する前方開口部と後方に開口する後方開口部とを有することが好ましい。
こうすることで、吸込み部収容室内に前後方向の気流を流すことができるので、吸込み部から漏れ出た抗癌剤等の蒸気を、例えば後方へ流して、曝露防止キャビネット内の下流側に設けたＨＥＰＡフィルタ等で効果的に捕集することができる。
【発明の効果】
【００１４】
以上説明したように、本発明の陰圧作業台、及び陰圧作業台付キャビネットによれば、作業者の負担を増大させることなく、既存の曝露防止用キャビネットの曝露防止性を高めることができる。
【図面の簡単な説明】
【００１５】
【図１】本発明の一の実施形態に係る陰圧作業台付キャビネットの作業室周辺を示した部分斜視図である。
【図２】図１に示した陰圧作業台付キャビネットの作業台に設けられた曝露防止用吸引口の斜視図である。
【図３】図１の陰圧作業台付キャビネットから陰圧作業台を取り外した状態の作業台の前縁吸引口より後ろ側の部分を示す（ａ）平面図、（ｂ）側面図である。
【図４】図１の作業台上に陰圧作業台を設置した状態を示す平面図である。
【図５】図１におけるＸ−Ｘ線断面図である。
【図６】図１におけるＹ−Ｙ線断面図である。
【発明を実施するための形態】
【００１６】
以下、適宜図面を用いながら本発明の実施形態について詳述する。ただし、本発明は、以下の実施形態に限られるものではない。
【００１７】
図１は、本発明の一の実施形態に係る陰圧作業台付キャビネット１００を示している。陰圧作業台付キャビネット１００は、薬剤や病原体等を取り扱う際に使用されるもので、図１に示すように、安全キャビネット（曝露防止用キャビネット）１０と、陰圧作業台１とを備えている。
【００１８】
安全キャビネット１０は、日本工業規格ＪＩＳＫ３８００におけるバイオハザード対策用クラスＩＩキャビネットの分類Ｂ２に属する開放型・全排気型に構成された安全キャビネットである。
安全キャビネット１０は、シャッター２と、作業室３と、作業室３の前方に開口する作業用開口部４とを備え、作業用開口部４は、作業室３の底壁からなる作業台５の前端部に設けられるグレーチング５１の前縁吸引口５１ａから、作業室３の空気と作業用開口部４から流入した空気を吸引して設けた気流により、エアシールドされる。
作業台５は、図２、図３に示すように、前縁吸引口５１ａより後方において、厚み方向に貫通する横長長方形の貫通孔からなる曝露防止用吸引口６を有している。
また、作業室３の後壁５２には、下端縁に沿って、作業室の空気を作業室後方の排気路８（図８参照）に吸引する後壁吸引口５２ａが列設されている。
【００１９】
作業台５には、曝露防止用吸引口６が、付設する陰圧作業台１の数に合わせて、１個、又は複数個（図１の例では、１個）設けられている。曝露防止用吸引口６は、図２に示すように作業台５を貫通する平面視長方形の開口からなり、蓋板６１により開閉される。曝露防止用吸引口６の下方には、吸込み部収容室６２が設けられている。
【００２０】
吸込み部収容室６２は上方、及び前方に開口した直方体の箱状をなし、曝露防止用吸引口６を囲繞するようにして作業台５の下面から吊設されて、曝露防止用吸引口６に内部空間６３を連通している。
吸込み部収容室６２は、板材を折り曲げて形成した左右の側壁６６，６６と底壁６７からなるコ字材の後方をパンチングボードからなる後壁６４で閉塞して形成され、左右の側壁６６，６６の上端から左右へ延出する鍔部６６ａ，６６ａを、上壁１１１の下面に溶接された４本のスタッドボルト１９，１９，…にネジ固定して、作業台５に固定される。後壁６４は、多数の貫通孔からなる後方開口部６４ａ，…が分散配置されたパンチングボードにより形成され、内部空間６３を吸込み部収容室６２の後方における作業台５の下部空間７に連通している。こうして、吸込み部収容室６２は、前方開口部６５から後方開口部６４ａへと空気が流れるよう構成されている。
【００２１】
陰圧作業台１は、図１に示すように、安全キャビネット１０の作業室３に設置した際に、作業台５に伏せ置きされる基台１１と、基台１１の後部に設けられる吸込み部１２とを備え、アルミニウム合金やステンレス鋼等の金属板を板金加工して形成されている。
【００２２】
基台１１は、上壁１１１と、前壁１１２と、左右の側壁１１３，１１３と後壁１１４とからなり下方に開口した中空板状（扁平直方体）をなしている。
【００２３】
上壁１１１は、前縁に沿って、左右方向（図３の左右方向）に長いスリットからなる多数の基台前縁吸引孔１１５が前後３列に形成されている。上壁１１１の基台前縁吸引孔１１５に隣接して後方には、凹凸や孔の無い作業面１１６が設けられ、さらにその後方に左右方向に長い矩形の吸込み口１１７が設けられている。前壁１１２、側壁１１３，１１３、及び後壁１１４は、上壁１１１の端縁から垂下し、下端に内方へ折り返す折り返し部１１８をそれぞれ備えている。
陰圧作業台１は、作業室３に設置した際に、基台１１の前縁が作業台５の前縁吸引口５１ａ後方に位置するよう設けられている。
【００２４】
吸込み部１２は、基台１１の吸込み口１１７と、曝露防止用吸引口６に収容される中空箱状の吸込み室１２１と、吸込み口１１７を覆うカバー１２２とを備えている。
【００２５】
吸込み室１２１は、図５、図６に示すように、上方に開口した直方体の箱状をなし、四方の壁で、吸込み口１１７を囲繞するようにして、基台１１の上壁１１１の下面から吊設され、内部空間１２３が吸込み口１１７に連通している。吸込み室１２１は図５に示すように、吸込み室１２１の左右の側壁１２５，１２５の上端から左右へ延出する鍔部１２５ａ，１２５ａを、上壁１１１の下面に溶接された４本のスタッドボルト１９，１９，…にネジ固定して、上壁１１１に固定される。
吸込み室１２１は、図６に示すように、吸込み部収容室６２に収容されて、底壁１２７が、吸込み部収容室６２の底壁６７にネジ２０で固定される。
【００２６】
図５、図６に示すように、吸込み室１２１の前壁１２４の上端部には、吸込み室１２１の内部空間１２３を基台１１の内部空間１１９に連通する前側開口１２４ａが設けられ、後壁１２６には、下側の過半を占める排出口１２６ａが設けられており、基台前縁吸引孔１１５から基台１１の内部空間１１９へ吸引された空気を、前側開口１２４ａ、及び排出口１２６ａを介して吸込み室１２１の後方へ排出するよう構成されている。また、後壁１２６は、内部空間１２３と、基台１１の内部空間１１９の吸込み口１１７よりも後方の空間１１９ａとを隔離している。
【００２７】
カバー１２２は、前方、及び下方に開口した中空箱状をなし、左右の側壁が長方形の角を切り落とした五角形をなしている。カバー１２２は、前方に吸込み窓１２８が設けられ、下方の開口が吸込み口１１７に連通して、基台１１の作業面１１６上の空気を吸込み口１１７に案内するよう構成されている。カバー１２２は、後壁下端が基台１１の後端部と左右一対の蝶番２１，２１で連結され、後方へ倒して、吸込み口１１７の上方を開放するよう構成されている。
【００２８】
次に、陰圧作業台付キャビネット１００を用いて、薬剤の調製を行う際の手順と、各部の作用効果について説明する。
陰圧作業台付キャビネット１００を用いて薬剤の調製を行う際には、まず、安全キャビネット１０の空調システム（不図示）を起動する。シャッター２を上げて作業用開口部４を設け、図２に示すように、蓋板６１を取り外して曝露防止用吸引口６を開放する。
【００２９】
しかるのち、陰圧作業台１を、作業台５に設置する。陰圧作業台１は、図５、図６に示すように、吸込み室１２１を曝露防止用吸引口６、及び吸込み部収容室６２へ刺し込み、吸込み室１２１の底壁１２７を吸込み部収容室６２の底壁６７にネジ２０で固定して設置する。カバー１２２を手前側へ倒して吸込み口１１７の上方を閉塞する。
陰圧作業台１を設置したら、基台前縁吸引孔１１５を塞がないようにして、作業面１１６に吸水性ポリマーを備えた保護シート（不図示）を敷設する。
【００３０】
図６の白抜き矢印は、陰圧作業台１を作業台５に設置した状態における作業室３、及びその周辺の空気の流れを示している。安全キャビネット１０の作業用開口部４から作業室３内へ流入する空気と、作業室３の天壁（不図示）から作業室３内へ供給された空気は、前縁吸引口５１ａに吸引されることにより作業用開口部４にエアカーテンを形成する。前縁吸引口５１ａから作業台５の下部空間７へ吸引された空気は、作業室３の後方の排気路８を介して、作業室３上方の排気ファンや、給気ファン（ともに不図示）により、屋外、又は作業室内へ流送される。
【００３１】
作業室３の空気は、陰圧作業台１の基台前縁吸引孔１１５、及び吸込み口１１７から吸込み室１２１の内部空間１２３を介して、下部空間７へ吸引される。
【００３２】
陰圧作業台１の設置が終了したら、薬剤の調整を行う。薬剤の調整は、図１に二点鎖線で示したように、作業面１１６上で行う。
ここで、陰圧作業台１は、作業面１１６の前方、及び左右に遮蔽板等の基台１１から上方へ突出する部材を有さないため、左右と前方の３方向から自由に作業面１１６上のスペースへ手を差し入れることができるため、作業者が無理な姿勢を強いられることなく薬剤を調整することができる。
尚、図１の符号Ａは作業者の手を、符号Ｂはバイアルを、符号Ｃはシリンジを表している。
【００３３】
作業面１１６上で発生した薬剤や有機溶剤の蒸気等は、基台前縁吸引孔１１５、及び吸込み口１１７から吸引される空気と共に、基台１１の内部空間１１９、吸込み室１２１の前側開口１２４ａ、排出口１２６ａを介して、作業台５の下部空間７へ排出される。
このように、基台前縁吸引孔１１５が、内部空間１１９を介して内部空間１２３に連通しているので、既存の安全キャビネット１０の作業台５に曝露防止用吸引口６を１つ開けるだけで、陰圧作業台１を付設できる。
【００３４】
基台１１は、内部空間１１９が下方に開口しているので、基台前縁吸引孔１１５から基台内部へ零れ落ちた抗癌剤や有機溶剤等を、安全キャビネット１０の作業台５上へ落とすことができるため、陰圧作業台１とともに誤って抗作業室の外へ零れた癌剤等を持ち出してしまうことを抑制できる。  また、基台１１と作業台５の間に保護シートを敷くことで、基台内部へ零れ落ちた抗癌剤等を保護シートで吸収することができる。
【００３５】
吸込み部収容室６２には、前方開口部６５から後方開口部６４ａへ向けて前後方向に空気が流れるので、吸込み室１２１から漏れ出た薬剤等の蒸気を、後方へ流して、下部空間７へ排出することができる。
下部空間７へ排出された薬剤の蒸気等は、安全キャビネット１０内の下流側に設けたＨＥＰＡフィルタ（不図示）等で捕集される。
【００３６】
以上、本発明は、上記の実施形態に限らず、例えば、曝露防止用キャビネットは、作業用開口部が同様にエアシールドされるものであれば、安全キャビネットに限らず、有機溶剤を取り扱ういわゆる局所配置装置の他、アイソレーター等、同様の構成を備えるものを適宜使用できる。吸込み部は、カバーを備えなくともよいし、基台の後部ではなく、後方に吸込み室を取り付けるようにして設けてもよい。基台前縁吸引孔は、吸込み部に連通するのではなく、曝露防止用吸引口とは別に作業台に設けた基台前縁吸引孔専用の吸引口に連通するようにしてもよい。基台は、下方に開口していなくともよい。曝露防止用キャビネットは、吸込み部収容室を備えなくともよいし、吸込み部収容室は、前方又は後方以外に、例えば、左右の側壁や底壁に開口部を備えていてもよい。
【符号の説明】
【００３７】
１００  陰圧作業台付キャビネット
１０  曝露防止用キャビネット
１  陰圧作業台
１１  基台
１２  吸込み部
１１５  基台前縁吸引孔
１１６  作業面
１１７  吸込み口
１２１  吸込み室
１２３  内部空間
１２６ａ  排出口
２  シャッター
３  作業室
４  作業用開口部
５  作業台
５１ａ  前縁吸引口
６  曝露防止用吸引口
６２  吸込み部収容室
６５  前方開口部
６４ａ  後方開口部
【要約】      （修正有）【課題】作業者に無理な姿勢を強いることのない陰圧作業台付キャビネットを提供する。【解決手段】本発明は、安全キャビネット等の曝露防止用キャビネットの作業室３に設置する陰圧作業台１である。陰圧作業台１は、中空板状をなす基台１１と、基台１１の後部に設けられる吸込み部１２とを備える。基台１１は、基台前縁吸引孔１１５と、基台前縁吸引孔と吸込み部１２の間に作業面１１６とを有し、作業室３に設置した際に、前縁が安全キャビネット１０の前縁吸引口５１ａより後方に位置するよう設けられている。吸込み部１２は、中空箱状をなし、曝露防止用吸引口６に収容される吸込み室と、吸込み室の内部空間１２３を作業室３へ連通する吸込み口１１７と、内部空間１２３を作業台５の下部空間に連通する排出口とを有する。【選択図】図１【図１】
0006844878.tif 000002
【図２】
0006844878.tif 000003
【図３】
0006844878.tif 000004
【図４】
0006844878.tif 000005
【図５】
0006844878.tif 000006
【図６】
0006844878.tif 000007